(57)【要約】  本発明は、ピン・ブラケット係合を含み、壁枠があらゆる角度であらゆる形式の屋根トラスを収容可能にする屋根トラス固着装置、及びそのような屋根枠の建造方法に関する。【選択図】  図２ａ
2014524524.tif 000002
【特許請求の範囲】
【請求項１】
屋根トラス固着装置であって、壁枠に対して任意の角度で前記屋根トラスを前記壁枠に嵌合可能にすることを特徴とする、屋根トラス固着装置。
【請求項２】
前記固着装置は、固着ピン及び受入れブラケットを含み、前記固着ピンは、前記屋根トラスへの取付け手段、及び下方に延出する雄部分を含み、前記受入れブラケットは、前記壁枠への取付け手段、及び前記雄部分を受け入れるように構成した雌部分を含み、そのような係合が、任意の角度で前記屋根トラスを前記壁枠に嵌合可能にする、請求項１に記載の屋根トラス固着装置。
【請求項３】
前記固着装置は、固着ピン及び受入れブラケットを含み、前記固着ピンは、前記壁枠への取付け手段及び上方に延出する雄部分を含み、前記受入れブラケットは、前記屋根トラスへの取付け手段、及び前記雄部を受け入れるように構成した雌部分を含み、そのような係合が、任意の角度で前記屋根トラスを前記壁枠に嵌合可能にする、請求項１に記載の屋根トラス固着装置。
【請求項４】
前記固着装置は、前記屋根トラスへの取付け手段を有する固着ピン、及び下方に延出する雄部分並びに前記壁枠の上に装着するように構成したセパレータ・ブロックを含み、前記セパレータ・ブロックは、前記雄部分を受け入れるように構成した雌部分を含み、そのような係合が、任意の角度及び前記壁枠からのある離間距離で前記屋根トラスを前記壁枠に嵌合可能にし、前記離間距離は、前記スペーサ・ブロックの高さと一致する、請求項１に記載の屋根トラス固着装置。
【請求項５】
前記固着装置は、前記壁枠の上に装着するように構成したセパレータ・ブロックを含み、前記セパレータ・ブロックは、上方に延出する雄部分、及び前記屋根トラスへの取付け手段を含む受入れブラケット、並びに前記雄部分を受け入れるように構成した雌部分を含み、そのような係合が、任意の角度及び前記壁枠からのある離間距離で前記屋根トラスを前記壁枠に嵌合可能にし、前記離間距離は、前記スペーサ・ブロックの高さと一致する、請求項１に記載の屋根トラス固着装置。
【請求項６】
前記雄部分は円筒部材の形態であり、前記雌部分は、前記雄部分を受け入れるように構成した開口又はソケットの形態である、請求項２から５のうちいずれか一項に記載の屋根トラス固着装置。
【請求項７】
前記雄部分は、内側に変形可能な外側フランジ先端部を有する円筒部材の形態であり、前記雌部分は、前記円筒部材及び前記フランジ先端部とスナップ嵌合によって係合するように成形した開口又はソケットである、請求項２から５のうちいずれか一項に記載の屋根トラス固着装置。
【請求項８】
前記雄部分は、外側に延出する掛かりを含む実質的に円筒部材の形態であり、前記雌部分は、前記円筒部材の挿入を可能にするように変形可能な材料の内側に延出する掛かりを含む開口又はソケットの形態である、請求項２から５のうちいずれか一項に記載の屋根トラス固着装置。
【請求項９】
前記雄部分は、その長さ部分に沿って少なくとも１つの掛かり付形状部を含むピンの形態であり、前記雌部分は、受入れ板と関連付けた１つ又は複数のアーチ形状部の形態であり、それにより、前記掛かり付形状部は、前記ピンを完全に挿入すると前記アーチ形状部の下側縁部に係合する、請求項２から５のうちいずれか一項に記載の屋根トラス固着装置。
【請求項１０】
前記雄部分は、その外側面に第１のねじ部を含む円筒部材の形態であり、前記雌部分は、その内側面に第２のねじ部を含む開口又はソケットの形態であり、前記第１のねじ部及び前記第２のねじ部は、回転係合するように構成した、請求項２から５のうちいずれか一項に記載の屋根トラス固着装置。
【請求項１１】
請求項１から１０のうちいずれか一項で定義した固着装置又はその一部を含む屋根トラス。
【請求項１２】
請求項１から１０のうちいずれか一項で定義した固着装置又はその一部を含む壁枠。
【請求項１３】
垂直壁枠；
少なくとも１つの屋根トラス；及び
請求項１から１０のうちいずれか一項で定義した屋根トラス固着装置
を含む建物枠組立体。
【請求項１４】
壁枠の上に屋根枠を建造する方法であって、
（ａ）上側水平壁枠部材をかぶせた複数の垂直間柱を含む前記壁枠を建造するステップ；
（ｂ）前記屋根枠の一部を形成する各屋根トラスを建造するステップ；及び
（ｃ）請求項１から１０のうちいずれか一項で定義した屋根トラス固着装置を使用して、前記上側水平壁枠部材に沿った位置に所望の角度で前記各屋根トラスを嵌合するステップ
を含む方法。
【請求項１５】
図面を参照して上記明細書で実質的に説明した、請求項１に記載の屋根トラス固着装置。
【発明の詳細な説明】
【技術分野】
【０００１】
本発明は、壁枠があらゆる角度であらゆる形式の屋根トラスを収容可能にするピン・ブラケット係合を含む屋根トラス固着装置に関する。本発明は、更に、固着装置を組み込んだ建物枠組立体、及び固着装置を使用した屋根建造方法に関する。
【背景技術】
【０００２】
建設業界で使用される屋根トラスは、通常は、鋼鉄又は木製であり、工場で作製され、現場で一緒に組み立てられる。そのような組立てには、通常、ボルト、ねじ、くぎ又はリベット等従来の固定システムによる屋根トラスの建物枠への接続を必要とする。屋根トラスを壁枠に垂直ではない角度で嵌合する必要があることはよくある。
【０００３】
寄棟屋根等の多くの形式の屋根葺き材は、屋根トラスとの直接的な相互接続を含む。これを達成するために、第１のトラスは、通常、適所にかすがいで止め、更なる屋根トラスが、屋根枠が完成し自立するまで追加される。
【０００４】
しかし、これらの方法は、典型的には、トラスを一緒に接合して屋根枠を形成できるまで、各屋根トラスを固定角度で壁枠に締結することを必要とする。現在、固着装置は、工場にて屋根トラス及び／又は壁枠に嵌合され、単一角度で屋根トラスが壁に嵌合できるように構成される。したがって、既存の固着方法は、トラスが現場に到着し、固着装置を不正確に嵌合、構成又は配向した場合、屋根トラスは、要求される角度で嵌合することができないのでエラーが生じやすい。そのような間違いによって、組立て時間が延長し、必要な労働量を増加させ、製造作業を増大させ、最終的には製造業者及び最終消費者により多くの出費をもたらす場合がある。
【０００５】
本出願人は、（現場で組み立てる間も含めて）任意の角度で壁枠に屋根トラスを嵌合可能にするトラス固着装置も、大量生産した屋根及び壁トラスに多角度固着装置を工場で嵌合することを可能にするシステムも認識していない。
【０００６】
更に、従来の屋根トラスシステムの組立て時に、各トラスの角度の正確さは、枠に締結するとき厳密なものでなければならない。角度が厳密でない場合は、トラスは中心位置で正しく一致しない場合がある。各角度が正しいかを算出し、確実にしなければならないことは、多くの労力及び時間がかかることであり、壁枠に緊締した後にトラスの位置を調節する器械は、目下ない。
【発明の概要】
【課題を解決するための手段】
【０００７】
したがって、一態様では、壁枠に対して任意の角度で屋根トラスを壁枠に嵌合可能にする屋根トラス固着装置を提案する。
【０００８】
更なる態様では、前記固着装置は、固着ピン及び受入れブラケットを含み、前記固着ピンは、トラスへの嵌合手段及び下方に延出する雄部分を含み、前記受入れブラケットは、壁枠への取付け手段、及び雄部を受け入れるように構成した雌部分を含み、そのような係合が、任意の角度で前記屋根トラスを壁枠に嵌合可能にする。
【０００９】
代替態様では、前記固着装置は、固着ピン及び受入れブラケットを含み、前記固着ピンは、壁枠への取付け手段及び上方に延出する雄部分を含み、前記受入れブラケットは、前記屋根トラスへの取付け手段、及び雄部分を受け入れるように構成した雌部分を含み、そのような係合が、任意の角度で前記屋根トラスを壁枠に嵌合可能にする。
【００１０】
また更なる態様では、前記固着装置は、前記屋根トラスへの取付け手段を有する固着ピン及び下方に延出する雄部分並びに壁枠の上に装着するように構成したセパレータ・ブロックを含み、前記セパレータ・ブロックは、雄部分を受け入れるように構成した雌部分を含み、そのような係合が、任意の角度及び前記壁枠からのある離間距離で前記屋根トラスを壁枠に嵌合可能にし、前記離間距離は、スペーサ・ブロックの高さと一致する。
【００１１】
また更なる態様では、前記固着装置は、壁枠の上に装着するように構成したセパレータ・ブロックを含み、前記セパレータ・ブロックは、上方に延出する雄部分、前記屋根トラスへの取付け手段を含む受入れブラケット、及び雄部分を受け入れるように構成した雌部分を含み、そのような係合が、任意の角度及び壁枠からのある離間距離で屋根トラスを壁枠に嵌合可能にし、前記離間距離は、スペーサ・ブロックの高さと一致する。
【００１２】
或いは、前記雄部分は円筒部材の形態であり、前記雌部分は、前記雄部分を受け入れるように構成した開口又はソケットの形態である。
【００１３】
或いは、前記雄部分は、内側に変形可能な外側フランジ先端部を有する円筒部材の形態であり、前記雌部分は、円筒部材及びフランジ先端部とスナップ嵌合によって係合するように成形した開口又はソケットである。
【００１４】
また更なる態様では、前記雄部分は、外側に延出する掛かりを含む実質的に円筒部材の形態であり、前記雌部分は、変形可能な材料の内側に延出する掛かりを含む開口又はソケットの形態であり、円筒部材を挿入させ、その後円筒部材を回転可能にする。
【００１５】
別の態様では、前記雄部分は、その長さ部分に沿って少なくとも１つの掛かり付形状部を含むピンの形態であり、前記雌部分は、受入れ板と関連付けた１つ又は複数のアーチ形状部の形態であり、それにより、ピンが完全に挿入すると、かかり付形状部は前記アーチ形状部の下側縁部に係合する。
【００１６】
或いは、前記雄部分は、その外側面に第１のねじ部を含む円筒部材の形態であり、前記雌部分は、その内側面に第２のねじ部を含む開口又はソケットの形態であり、前記第１のねじ部及び前記第２のねじ部は、回転係合するように構成する。
【００１７】
更なる態様では、上記で定義した固着装置又はその一部を含む屋根トラスを提案する。
【００１８】
また更なる態様では、上記で定義した固着装置又はその一部を含む壁枠を提案する。
【００１９】
別の態様では、
垂直壁枠；
少なくとも１つの屋根トラス；及び
上記で定義した屋根トラス固着装置
を含む建物枠組立体を提案する。
【００２０】
また更なる態様では、壁枠の上に屋根枠を建造する方法であって、
（ａ）上側水平壁枠部材をかぶせた複数の垂直間柱を含む壁枠を建造するステップ；
（ｂ）屋根枠の一部を形成する各屋根トラスを建造するステップ；及び
（ｃ）上記段落のうちいずれか１つの段落で定義した屋根トラス固着装置を使用して、前記上側水平壁枠部材に沿った位置に所望の角度で各屋根トラスを嵌合するステップ
を含む方法を提案する。
【００２１】
上述した態様のうちいずれか１つは、上述した他の態様のいずれかの特徴のいずれかを含むことができ、適宜に、以下で説明する実施形態のいずれかの特徴のいずれかを含むことができることに留意されたい。
【００２２】
本明細書に組み込まれ、その一部を構成する添付の図面は、本発明の様々な実装形態を例示し、本明細書の記述と共に、本発明の利点及び原理を説明する役割を果たすものである。
【図面の簡単な説明】
【００２３】
【図１ａ】壁枠、及び本発明を具現する固着装置を使用して壁枠に嵌合した屋根トラスの上面図であり、４５度の角度に嵌合可能な屋根トラスを示す。
【図１ｂ】壁枠、及び図１ａの固着装置を使用して壁枠に嵌合した屋根トラスの上面図であり、９０度の角度に嵌合可能な屋根トラスを示す。
【図１ｃ】壁枠、並びに図１ａ及び図１ｂの固着装置を使用して壁枠に取り付けた屋根トラスの上面図であり、１３５度の角度に嵌合可能な屋根トラスを示す。
【図２ａ】壁枠から屋根トラスが分離した、本発明の一実施形態に従った固着ピンを組み込んだ屋根トラスの分解透視図である。
【図２ｂ】図２ａの固着屋根トラスを組み立てた透視図である。
【図２ｃ】図２ａの固着屋根トラスを組み立てた透視図であり、壁枠の角度から９０度に回転した屋根トラスを示す。
【図３】図２ａ〜図２ｃの固着屋根トラスで使用するブロック及び隣接構成要素の拡大透視図である。
【図４】屋根トラスが壁枠から分離した、本発明の更なる態様に従った固着ピンを組み込んだ屋根トラスの分解拡大透視図である。
【図５ａ】本発明の更なる実施形態に従って壁枠ブラケットに直接装着する固着ピンを組み込んだ屋根トラスの分解側断面図である。
【図５ｂ】図５ａの屋根トラス及び固着ピンを組み立てた側断面図である。
【図６ａ】更なる態様に従って壁枠ブラケットに直接装着する固着ピンを組み込んだ屋根トラスの分解側断面図である。
【図６ｂ】図６ａの屋根トラス及び固着ピンを組み立てた側断面図である。
【図７ａ】また更なる態様に従って壁枠に直接装着する固着ピンを組み込んだ屋根トラスの分解側断面図である。
【図７ｂ】図７ａの屋根トラス及び固着ピンを組み立てた側断面図である。
【図８ａ】また更なる態様に従ってブラケット及びピン用具を含む屋根トラス固着装置の分解透視図である。
【図８ｂ】図８ａの屋根トラス固着装置を組み立てた透視図である。
【発明を実施するための形態】
【００２４】
本発明の以下の詳細な説明は、添付の図面に言及する。可能な限り、同じ参照番号は、同じ及び同様の部品に言及するために図面並びに以下の説明を通して使用される。図示する特定の部品の寸法は、明瞭さ又は例示の目的で修正及び／又は強調されている場合がある。
【００２５】
建物構造体における壁枠及び屋根トラスは、最も一般には木製又は金属製である。そのような構造体は、垂直壁枠、及び典型的には屋根枠の一部を形成する三角トラスを含むが、屋根トラスは、多種多様な形状及び大きさであってもよい。本発明は、あらゆる形状又は形態の屋根トラスを任意の角度で嵌合可能にして、屋根トラスを壁枠に嵌合する装置及び方法に関する。様々な追加の利点が、以下でより詳細に説明するように本発明の使用から生じる。
【００２６】
本発明の広範な形態における一態様を図１ａに示す。図１ａは、壁枠１４から約４５度の角度で壁枠１４の中心に嵌合した屋根トラス１２を含む枠組立体１０の上面図を示す。図１ｂは、枠１４から９０度の角度で嵌合したトラス１２を示し、図１ｃは、枠１４から１３５度の角度で嵌合したトラス１２を示す。これらの図面の目的は、屋根トラスを壁枠の上に３６０度の角度範囲で嵌合するために、どのように屋根トラス及び壁枠を組み立てることができるかを読者に示すためである。
【００２７】
本発明は、屋根トラスを所望の角度で固着可能にするいずれか１つの手段に限定する目的ではないが、固着ピンを使用した一態様により達成され、この固着ピンは、図面で具現され及び以下でより詳細に説明する屋根トラス又は壁枠のいずれかと関連付けた垂直ピン（又は雄部材若しくはシャフト）、及びそれぞれの壁枠又は屋根トラスと関連付けた対応するソケット手段（又は雌部）の使用を含み、それによって２つの構成要素間の係合が、所望の角度で屋根トラスを壁枠の上に嵌合可能にする。
【００２８】
あらゆる所望の角度で屋根枠を壁枠に嵌合可能にするシステムの利益を当業者は理解するであろう。そのようなシステムにより、壁及び屋根枠並びに固着装置の雄部及び雌部を大量生産可能にし、構成要素の組立ての大部分を、エラーの余地を最小にして現場で完成することを可能にする。例えば、屋根トラスは、１つ又は複数の雄係合部分と嵌合することができ、壁枠は、枠に沿った対応位置で１つ又は複数の雌係合部分を含むことができ、これらの部材は、それぞれ現場に到着することになる。壁枠を建てた後、組み立て工は、固着構成要素を係合するだけで、素早く簡単にトラスを所望の角度で壁枠の上に嵌合することができる。製造の観点からは、工場において、壁枠及び屋根トラスのそれぞれに対して「角度特異的な」固着構成要素が不正確な嵌合によって間違う可能性を減少させる。
【００２９】
中心位置に合うように構成した複数のトラスがある場合、例えば、本発明は、各トラスを壁枠の上に緊締し、所望の角度で回転させ、次に適所に固定することを可能にすることを当業者は更に認識するであろう。このことは、１つ１つの屋根トラスを組み立てるときの精度に対する要求を緩和し、建築工に大きな柔軟性を与える。しかし、本発明は、トラスの一端に関連付けた固着構成要素を係合した後トラスを回転できるということに限定する目的ではないことは理解されよう。屋根トラスを任意の角度で嵌合できる多くの状況があるが、屋根トラスに関して、固着構成要素を係合した後その角度で固定したままにする状況が望ましい。
【００３０】
一態様によれば、固着装置は、所望の角度でトラスを嵌合可能にするだけでなく、トラスが壁枠から短い垂直距離で分離することを可能にする。この分離は、屋根と壁構造部材との間の熱架橋を著しく低減することを当業者は了解するであろう。熱架橋を低減する利益は、当技術分野で周知である。
【００３１】
この態様による本発明を図２〜図３に示す。壁枠１４が図示されており、この壁枠１４は、好ましくは鋼鉄製であり、従来の壁枠設計によるいくつかの垂直間柱１８、及び間柱の上部にわたって延在する上側水平部材２０を含む。枠１４は、限定はしないが、木材、ブリック、ダブルブリック、アドーベ又はポリマーを含む他の材料製であってもよい。
【００３２】
壁枠部材２０の上に固定するのは、固着装置の「ソケット手段」を組み込んだトラス固着セパレータ・ブロック２２であり、このトラス固着セパレータ・ブロック２２は、その上側面から垂直に下にブロックを貫通するボア２４を含む。一態様では、ボア２４はブロックを完全に貫通しない。ブロック２２は、屋根トラス１２の所望の取付け点で壁枠に取り付ける。
【００３３】
図示する実施形態では、トラス１２は、好ましくは、三角形状部を形成する筋交いパターンで１つ又は複数の傾斜弦材２８及び水平下弦材３０から構成される。図２ａ〜図２ｃに示す実施形態では、この三角形は、１つの角度が付いた弦材２８のみを含む直角三角形であるが、他の構成も可能である。屋根トラスは、筒型アーチトラス、二重片持梁トラス、傾斜平底トラス及び２重反転トラスを含む多種多様な形状及び大きさで利用可能であることを当業者は理解するであろう。また、本発明は、いずれか１つの形状又は構成に限定する目的ではないことを理解されたい。トラス１２は、壁枠２０への所望の取付け点で下弦材３０から下方に延出する下側円筒部分３４を有するピン３２を含む。
【００３４】
ピン３２は、その上側端部でトラス１２を通してボルト締めすることができ、上弦材２８は、円筒部分３４がトラス１２から下方に延出し、下弦材３０と９０度の角度を形成するように下弦材３０と交差する。上記を行う一方法には、国際特許公開第ＷＯ／２００１／０２３６８４号に記載の、本出願人の既存のボス／プレス加工（ｂｏｓｓｅｄ／ｐｒｅｓｓｅｄ）構造要素接続システム（図示せず）を使用することがあるが、本発明は、この接続方法に限定する目的ではない。ピン３２は、好ましくは金属製であるが、十分に耐久性のあるあらゆる材料製とすることができる。
【００３５】
トラスを所望の角度に位置合わせした後、ピン円筒部分３４を固着ブロック２４の開口２４内に挿入することができ、それにより固着構成要素が係合される。或いは、図２ｂに明確に図示するように、トラスは、壁枠２０にトラス１２を取り付けた後、所望の角度に調節することができるが、このことは、建てられる屋根枠の形式に応じて常に可能でなくてもよい。固着構成要素は、例えば図２ｃでわかるように、壁枠に垂直な角度に嵌合することを含めて、水平な角度範囲に沿ってトラスを嵌合することを可能にする。図３は、本発明のこの態様に従った屋根トラスと壁枠との間の固着接続部の拡大図を示す。
【００３６】
図４は、本発明のまた更なる態様を示す。具体的には、トラスは、トラスと関連付けたピン４０を含み、ピン４０は、中空であり、内側に変形可能な円筒部分４２、及び外側にフランジのついた下側先端部４４を有する。ピン４０は、ブロック開口４６内に挿入するように構成され、このブロック開口４６は、下側先端部４４が開口４６内にスナップ嵌合できるように成形される。具体的には、開口の直径は、円筒部分４２が内側に変形していない場合はフランジ先端部４４を挿入するには十分な直径ではなく、したがって、先端部４４が開口４６の領域４８に達すると、先端部４４が元の位置にスナップ式に戻ることができ、それによってブロック開口４６中のピンがロックされる。
【００３７】
更なる実施形態によれば、本発明は、セパレータ・ブロックの使用を含まないが、任意の角度で屋根トラス１２を壁枠１４に直接的に嵌合可能にする。本発明のこの更なる実施形態は、図５ａ〜図５ｂの一態様により見ることができる。この態様では、屋根トラス１２は、壁枠１４の上に直接緊締する。ここでもまた、屋根トラスと関連付けられ、下側円筒部分５２を含む固着ピン５０が存在する。円筒ピン部分５２は、ブロック開口内に挿入するのではなく、壁枠間柱１８のうちの１つに固定したブラケット５４内に同じく挿入するように構成する。断面でのみ示しているが、ブラケット５４は、円筒部分５２を回転可能に収容することができる本質的にはソケットであるものを間柱の表面と共に実現する中心丸形経路５５を含むような形状であることを了解されたい。ピン５０の上側部分は、上記の実施形態の説明に従って、あらゆる適切な手段を使用してトラスに接続することができる。
【００３８】
円筒部分５２は、ロックピン５８を受け入れるように構成した横方向に延出する開口５６を含むことができる。ブラケットは、ピンを完全に挿入すると、ロックピン５８が挿入できるように開口５６がブラケットの下に見えるような長さのものである。したがって、ロックピン５８は、トラスを嵌合した後に固着ピン５０がブラケット５４から持ち上がるのを防止することを当業者は了解するであろう。そのようなピンは、嵌合後にトラスのその後の回転を防止するように構成してもよい。ロックピンを使用する代替形態は、サークリップ（図示せず）を使用する場合がある。
【００３９】
更なる態様では、全てのトラス及び壁を組み立てた後、更なるピン、ねじ、ボルト又はあらゆる他の適切なロックデバイスを嵌合することができ、これらはトラスを固着する役割を果たすのみならず、ブラケットをピンにロックし、回転があれば停止させる。
【００４０】
図６ａ〜図６ｂに示す更なる態様は、掛かり付円筒部分６２を有する固着ピン６０、及び掛かり付経路６６を含む壁間柱１８に緊締するブラケット６４の使用を含む。ピン６０は、（上記したように）その上側端部でトラス１２を通してボルト締めし、掛かり付円筒部分６２は、屋根トラスのあらゆる角度で経路６６内部に挿入するように構成する。
【００４１】
経路６６内部の掛かりは、プラスチック、ばね鋼鉄又は他の物など変形可能な材料から製作することができ、これにより硬質な掛かり付ピン６０を経路６６内に挿入し、図に示すような掛かりの結合構成によって緊締可能にする。或いは、経路６６は、挿入を可能にするように外側に変形可能であってもよいが、その後、元の位置にスナップ式に戻るように構成する。そのような構成では、ピン６０の掛かりは、三角形状部の角度を上方に付けることができ、ブラケット６４内部の掛かりの角度は、下方に付けることができ、それによって挿入を容易にする。
【００４２】
上記した構成と逆の構成、つまり、固着装置の雄部分を壁枠と関連付け、雌部分を屋根トラスと関連付けるといった構成もまた可能であることは理解されよう。そのような態様は、図７ａ〜図７ｂに示され、壁枠部材２０から上方に延出するピン７０を利用する。ここで、トラス１２は、上述の実施形態に記載したブラケット７２を組み込み、ピンがブラケット経路７４を貫通するように任意の角度でピン７０の上に下ろすように構成する。ロックピン７６は、ブラケット７２を固着ピン７０にロックするためにここでも使用することができる。やはり、上記した掛かり付ピン／ブラケット経路態様を含めた様々な代替形態が可能である。
【００４３】
図示しない更なる変形可能は、スペーサ・ブロック２２等のスペーサ・ブロックの使用であり、このスペーサ・ブロックは、そこから上方に延出する雄部分を有し、屋根トラスに取り付けたブラケット７２等のブラケットによって画定されるソケットに受け入れられるように構成する。
【００４４】
やはり図示しないが、上述した通常の固着構成又は逆の固着構成のいずれかに適用することができるまた更なる実施形態は、ねじ切りピンとねじ切り緩み止めナットとの係合を使用することであり、トラスを壁枠に回転緊締させることにもなる。
【００４５】
図８ａ及び図８ｂは、本発明の別の態様に従って構成したブラケット８２及びピン／タブ８４を含む固着装置８０を示す。装置８０が、図６ａ〜図６ｂにおいて前述したものと同様であるがいくつかの追加特徴を含むことを当業者は理解するであろう。ブラケット８２は、壁枠の構成部材へのボス接続を構成する受入れ板８４を含み、この受入板８４は、中心板８４の各側にルーバ付アーチ８６を生成するプレス加工金属成形部を有する。ピン／タブ８４は、屋根トラス構成部材へのボス接続を構成するタブ９０から懸架するピン部分８８を含む。ブラケット８２のアーチ８６は、ピン部分８８が低い取付け荷重で受入体内に挿入できるように、わずかに離れて出現するように設計する。受入板８４は、ばね鋼鉄又はあらゆる他の適切な可撓性材料から構成することができる。ピン部分８８のかかり付形状部９２は、完全に挿入した後にアーチ形状体の下側縁部に係合し、非常に高い引き抜き耐性を実現して２つの構成要素を一緒にロックする。
【００４６】
したがって、図６ａ〜図６ｂ及び図８ａ〜図８ｂの固着装置では、ピンは、トラスを適所に位置特定する手段として構成するだけでなく、引き抜き抵抗、荷重の軽減等を支援するといった構造部材としても利用される。
【００４７】
いくつかの状況では、壁枠の内側は、アクセス可能ではなく、例えば、壁枠が、火災等級に使用／壁枠の断熱に使用するために発泡体又は他の材料で充填されていることがある。こうした状況では、壁枠と関連付けた固着装置は封入されている場合があり、ブラケットの外側から見ることができず、したがって、トラスを固着するためにアクセスすることができない。こうした状況では、固着装置は「目隠し固定（ｂｌｉｎｄ  ｆｉｘｉｎｇ）」を実施する必要があることがあり、即ち、ピンが発泡体によって封入されたブラケットを係合するまで発泡材料内にピンを挿入する必要がある場合がある。そのようなシナリオでは、更なる固定器を使用することなく、係合に２つの固着構成要素が必要であることを当業者は理解するであろう。図６ａ〜図６ｂ及び図８ａ〜図８ｂの掛かり付構成の両方が適切であるが、他の変形形態が実行できることもある。
【００４８】
したがって、本発明は、大量生産可能な壁枠及び屋根トラス、並びにやはり大量生産可能なブラケット及びピン固着装置を伴う建物構造体を単純化する方法であって、重要なことには、組立ての際に任意の角度で屋根トラスを壁枠に対して嵌合可能にする方法を提供する。例えば、壁枠構成要素、屋根トラス構成要素、並びに建物構造体の固着装置を形成するブラケット及びピン構成要素のそれぞれは、コンピュータ支援設計及び自動化機器を使用して事前決定され、事前に穿孔されるように構成する。壁枠及び屋根トラス構造部材のそれぞれが、機器に入力されている建築計画データに従って何らかの方法で印をつけられることが想定される。このことは、屋根トラス又は壁枠に沿ったどの点が固着構成要素を嵌合するかを特定するときに工場の組立て工を支援することになる。
【００４９】
したがって、壁枠及び屋根トラスのそれぞれは、工場内で固着構成要素と嵌合することができ、現場での組立ての必要性をなくすが、現場での組立体は、依然として本発明の範囲内で考慮される。本発明を実装する結果は、建物枠の製造、組立て、輸送及び建造がより一層単純化され、効率的になることである。
【００５０】
更なる利点及び改良を本発明の範囲から逸脱することなく本発明に十分に行うことができる。最も実践的で好ましい実施形態と思われるもので本発明を図示し、説明してきたが、本発明からの逸脱は、本発明の範囲及び趣旨内で行うことができ、本発明は、本明細書に開示した詳細に限定すべきではなく、ありとあらゆる同等なデバイス及び装置を包含するように特許請求の完全な範囲に一致すべきであることは認識されよう。
【００５１】
以下のあらゆる請求項及び本発明の要約において、明確な言語又は必要な暗示によって文脈が別段要求しなければ、語「ｃｏｍｐｒｉｓｉｎｇ（備える）」は「ｉｎｃｌｕｄｉｎｇ（含む）」の意味で使用され、即ち、特定される特徴は、本発明の様々な実施形態の更なる特徴と関連付けることができる。
【００５２】
本明細書全体にわたる従来技術のあらゆる説明は、そのような従来技術が周知であるか、又は当技術分野の共通の一般知識の一部を形成することの承認であると決して考えるべきではない。
【符号の説明】
【００５３】
１２  屋根トラス
１４  壁枠
２２  ブロック
３２  ピン
４４  フランジ先端部
４６  開口
５２  円筒部分
５４  ブラケット
６２  掛かり付円筒部分
８４  受入れ板
８６  アーチ
【図１ａ】
2014524524.tif 000003
【図１ｂ】
2014524524.tif 000004
【図１ｃ】
2014524524.tif 000005
【図２ａ】
2014524524.tif 000006
【図２ｂ】
2014524524.tif 000007
【図２ｃ】
2014524524.tif 000008
【図３】
2014524524.tif 000009
【図４】
2014524524.tif 000010
【図５ａ】
2014524524.tif 000011
【図５ｂ】
2014524524.tif 000012
【図６ａ】
2014524524.tif 000013
【図６ｂ】
2014524524.tif 000014
【図７ａ】
2014524524.tif 000015
【図７ｂ】
2014524524.tif 000016
【図８ａ】
2014524524.tif 000017
【図８ｂ】
2014524524.tif 000018
【国際調査報告】
2014524524.tif 000019
2014524524.tif 000020
2014524524.tif 000021
2014524524.tif 000022
2014524524.tif 000023